(57)【要約】【課題】壁に対する当接部を脚部や補強杆等の浴室用ラックを構成する他の部材と一体で形成することで、浴室用ラックの見栄えをよくし、部品点数及び加工箇所を少なくして、経済性にすぐれている浴室用ラック実現する。【解決手段】左右の前方縦杆８、左右の脚部９及び当接部１０が一体となって支持部材２を形成し、左右の前方縦杆８と左右の後方縦杆３に、底面部材４、補強枠６及び開口枠５を固定し、浴室の壁１１の受具１２に浴室用ラック１８のフック部１７を引っ掛けて取り付けている場合は、当接部１０が壁１１に当接し浴室用ラック１８の傾斜を防止し、浴室用ラック１８を床に置く場合は、脚部９が床に当接して浴室小物を載置する底面部材４が床に接触しないようにする。【選択図】図１
2005192849.tif 000002
【特許請求の範囲】
【請求項１】
線材で形成され、浴室の壁に取り付け、取り外し自在に構成された浴室用ラックであって、物品を挿入する開口枠と、物品を載置可能な底面部材と、開口枠と底面部材とを接続する前方縦杆とを備えており、前記前方縦杆が前記底面部材を越えて下方に延長されて脚部を形成しているとともに、前記脚部が浴室の壁方向に延長されて浴室の壁に当接する当接部を形成していることを特徴とする浴室用ラック。
【請求項２】
請求項１記載の浴室用ラックであって、前記前方縦杆を少なくとも２本備え、前記当接部が浴室の壁に沿って形成されて、前記少なくとも２本の縦杆が前記当接部とともに一体に構成されていることを特徴とする浴室用ラック。
【請求項３】
請求項１または２記載の浴室用ラックであって、前記前方縦杆を２本備え、後方には後方縦杆を２本備え、前記当接部と前記２本の前方縦杆及び後方縦杆の４本の縦杆が一体に構成されていることを特徴とする浴室用ラック。
【請求項４】
線材で形成され、浴室の壁に取り付け、取り外し自在に構成された浴室用ラックであって、物品を挿入する開口枠と、物品を載置可能な底面部材と、開口枠と底面部材とを接続する前方縦杆とを備えており、前記底面部材の一部に下方に突出する脚部が形成されるとともに、脚部が浴室の壁方向に延長されて浴室の壁に当接する当接部を形成していることを特徴とする浴室用ラック。
【請求項５】
線材で形成され、浴室の壁に取り付け、取り外し自在に構成された浴室用ラックであって、物品を挿入する開口枠と、物品を載置可能な底面部材と、開口枠と底面部材とを接続する前方縦杆とを備えており、開口枠と底面部材の間に位置する補強枠とからなり、前記底面部材の一部に下方に突出する脚部が形成されるとともに、該補強枠の一部に浴室の壁方向に延長されて壁に当接する当接部を形成していることを特徴とする浴室用ラック。
【発明の詳細な説明】
【技術分野】
【０００１】
本発明は、杆状の線材から成る浴室用ラックに関し、特に、浴室の壁に取り付け取り外し自在に装着できる浴室用ラックに関する。
【背景技術】
【０００２】
線材を折り曲げて形成し、壁に取り付け取り外し自在に装着できる各種のラックはすでに知られいてる。例えば、壁に固定したレールにフック状の吊下げ部を引っ掛けて取り付けることのできるキッチン用小物吊具は公知である（特許文献１参照）。又、線材を折り曲げて形成したラックであり、壁に吸着して取り付けた吸着体に引っ掛けて使用するなべぶた用ラックは公知である（特許文献２参照）
【０００３】
さらに、浴室の壁に取り付け取り外し自在に掛けて使用する杆状の線材から成る浴室用ラックは従来から知られている。
【特許文献１】実用新案登録第２５３６３６５号公報
【特許文献２】実用新案登録第２５４１９９１号公報
【発明の開示】
【発明が解決しようとする課題】
【０００４】
従来の浴室に着脱して使用する浴室用ラックは、床に置いて使用する場合の使用性はあまり考えておらず、その底部が直に床に接触する直置きになってしまう。又、壁に掛ける際に浴室用ラックが傾きすぎることを防止する当て部分が孤立して形成されているため見栄えが悪く、部品点数も多くなり、さらに加工箇所（溶着で固定する箇所等）が増える等の問題があった。
【０００５】
本発明は、上記従来の浴室に着脱して使用する浴室用ラックの問題点を解決し、使い勝手が良く、清潔で、部品点数や加工箇所の少ない構造の浴室用ラックを実現することを課題とするものである。
【課題を解決するための手段】
【０００６】
本発明は上記課題を解決するために、線材で形成され、浴室の壁に取り付け、取り外し自在に構成された浴室用ラックであって、物品を挿入する開口枠と、物品を載置可能な底面部材と、開口枠と底面部材とを接続する前方縦杆とを備えており、前記前方縦杆が前記底面部材を越えて下方に延長されて脚部を形成しているとともに、前記脚部が浴室の壁方向に延長されて浴室の壁に当接する当接部を形成していることを特徴とする浴室用ラックを提供する。
【０００７】
浴室用ラックは、前記前方縦杆は、少なくとも２本備え、前記当接部が浴室の壁に沿って形成されて、前記少なくとも２本の縦杆が前記当接部とともに一体に構成されていることを特徴とする。
【０００８】
浴室用ラックは、前記前方縦杆を２本備え、後方には後方縦杆を２本備え、前記当接部と前記２本の前方縦杆及び後方縦杆の４本の縦杆が一体に構成されていることを特徴とする。
【０００９】
本発明は上記課題を解決するために、線材で形成され、浴室の壁に取り付け、取り外し自在に構成された浴室用ラックであって、物品を挿入する開口枠と、物品を載置可能な底面部材と、開口枠と底面部材とを接続する前方縦杆とを備えており、前記底面部材の一部に下方に突出する脚部が形成されるとともに、脚部が浴室の壁方向に延長されて浴室の壁に当接する当接部を形成していることを特徴とする浴室用ラックを提供する。
【００１０】
本発明は上記課題を解決するために、線材で形成され、浴室の壁に取り付け、取り外し自在に構成された浴室用ラックであって、物品を挿入する開口枠と、物品を載置可能な底面部材と、開口枠と底面部材とを接続する前方縦杆とを備えており、開口枠と底面部材の間に位置する補強枠とからなり、前記底面部材の一部に下方に突出する脚部が形成されるとともに、該補強枠の一部に浴室の壁方向に延長されて壁に当接する当接部を形成していることを特徴とする浴室用ラックを提供する。
【発明の効果】
【００１１】
本発明に係る浴室用ラックによれば、次のような効果が生じる。
（１）当接部が脚部や補強杆等の浴室用ラックを構成する他の部材と一体で形成されているために、見栄えがよくなり、部品点数が少なく、加工箇所も少なくなり経済性にすぐれた浴室用ラック提供することができる。
（２）浴室用ラックを床においても脚部が床に当接して浴室用ラックの底面部材の載置部を床から上方に離すことができるから、収納した小物を床に接触させることなく清潔に保つことができる。
【発明を実施するための最良の形態】
【００１２】
本発明に係る浴室用ラックを実施するための最良の形態を実施例に基づき図１〜４を参照して、以下説明する。
【実施例１】
【００１３】
図１（ａ）は、本発明に係る浴室用ラックの実施例１の全体構造を示す斜視図であり、図１（ｂ）は、浴室の壁に取り付けた状態を示す斜視図である。実施例１の浴室用ラック１は、杆状の線材から成り、後述するが、浴室の壁に取り付け取り外し自在（着脱自在）に取り付けて使用されるワイヤーラックである。より詳しくは、図２（ａ）に分解図で示すような杆状の線材から形成される複数の部材を互いに一体的に結合して構成される。
【００１４】
図１、２（ａ）に示すように、浴室用ラック１を構成する複数の部材は、支持部材２、後方縦杆３、底面部材４、開口枠５、補強枠６及び取付杆７である。
【００１５】
図１、２（ａ）において、支持部材２は、１本の杆状の線材が折り曲げられて形成され、左右の前方縦杆８、左右の脚部９及び当接部１０から成る。即ち、支持部材２は、左右の前方縦杆８と、この左右の前方縦杆８がその下端から壁面方向（後方）に折り曲げられて連続的に形成された左右の脚部９と、左右の脚部９の後端から壁面に沿うように折り曲げられて連続的に形成された当接部１０とから構成される。このような構成の支持部材２は、上方から見ると（平面図では）Ｕ字形に見え、側方から見ると（側面図では）Ｌ字型に見える。
【００１６】
脚部９において、その後端より少し前方の部分に、後方縦杆３が縦方向（浴室用ラック１を壁に取り付けた際におけるほぼ垂直方向）になるように溶着等で固定されており、これにより、後方縦杆３が支持部材２と一体的になるように構成されている。
【００１７】
前方縦杆８、脚部９及び当接部１０は、それぞれ次に説明するような機能を発揮するが、この実施例１の浴室用ラック１では、１本の線材で形成された支持部材２で、こられの各部の機能を全て発揮することができるという点で、従来の浴室用ラックにはない、きわめて特徴的な構成である。
【００１８】
即ち、支持部材２の各部の機能は次のとおりである。前方縦杆８は、後方縦杆３とともに底面部材４を支持する。脚部９は、浴室用ラック１を壁１１から取り外し床に置いた際底面部材４が床に当接しないように脚として機能する。
【００１９】
当接部１０は、図１（ｂ）に示すように、浴室用ラック１を壁１１に取り付けた際に壁１１に当接する。当接部１０が壁１１に当接することで、浴室用ラック１を取付杆７で壁１１の受具１２に取り付けた際に、取付姿勢が余り傾くことなく、全体的にほぼ垂直な状態となり、又、底面部材４の後端が壁から離れるために、底面部材４に載せた物が壁１１に接触しにくく、衛生的である等の利点が生じる。
【００２０】
なお、本実施例１では、支持部材２は、１本の線材を折り曲げて形成された構成を示しているが、変形例としては、図２（ｂ）に示すように、左右の前方縦杆８及び脚部９の間に、必要に応じて（浴室用ラック１の大きさや線材の強度等を考慮して）前方縦杆８及び脚部９から成る補強杆１３を１又は２以上配設してもよい。
【００２１】
底面部材４は、入浴用の小物を載置する棚としての機能を有するものであり、矩形の底枠１４と、底枠１４に並設される複数の線材１５とから成る載置部１６を備えている。底枠１４の横幅は左右の前方縦杆８の間の間隔より大きく、奥行幅は左右の前方縦杆８及び左右の後方縦杆３の間の間隔と同じとする。
【００２２】
載置部１６の線材１５の配列は、本実施例のように前後方向に平行でも横方向に平行でも、或いは格子状でもよい。底面部材４は、左右の脚部９よりやや上方に水平に配置され、左右の前方縦杆８及び左右の後方縦杆３に溶着等により固定されている。また、底面部材４の上にトレー等を置き、その上に小物を載置するようにしてもよい。
【００２３】
開口枠５は、この浴室用ラック１の上方への開口を形成するとともに、浴室用ラック１の上部の補強を兼ねるものである。そして、この開口枠５は、平面図で見ると底枠１４とほぼ同じ大きさの矩形であり、側面図では上方に若干、湾曲した形状で形成されており、左右の前方縦杆８及び左右の後方縦杆３の上端に溶着等により固定される。
【００２４】
補強枠６は、底枠１４とほぼ同じ大きさの矩形の枠から成り、底枠１４と開口枠５との間に位置し、底枠１４と同様に、左右の前方縦杆８及び左右の後方縦杆３に溶着等により固定されている。これにより、左右の前方縦杆８及び左右の後方縦杆３を互いに結合して、浴室用ラック１の全体の強度を上げている。
【００２５】
取付杆７は、浴室の壁１１に固定された受具１２に引っ掛けて浴室用ラック１を壁１１に取り付け取り外し自在に装着する機能を有するものである。取付杆７は、左右の端部から後方に延び、さらに浴室用ラック１の幅方向中央に折り曲げられ、中央部には下方に凹状に折り曲げられてフック部１７が形成されている。取付杆７の左右の端部が、後方縦杆３及び開口枠５（後方縦杆３と開口枠５の交叉部）に溶着等により固定されている。
【００２６】
（作用）
図１（ｂ）に示すように、予め浴室の壁１１に、フック部１７を挿入できる孔を有する受具１２を固定しておき、この受具１２にフック部１７を挿入して引っ掛けることにより、浴室用ラック１を浴室の壁１１に取り付けることができる。
【００２７】
浴室用ラック１を浴室の壁１１に取り付けた状態では、当接部１０は浴室の壁１１に当接する。この当接により、受具１２にフック部１７が滑らかに挿入された状態となり、かつ浴室用ラック１の取付姿勢が余り傾くことなく適正な状態となる。入浴用の小物類は、開口枠５から浴室用ラック１内に入れて載置部１６上に保持される。
【００２８】
浴室用ラック１を壁１１の受具１２から取り外して、例えば、浴室の床（タイル面等）の上に置いた状態では、脚部９が床に当接し、脚部９の上方に固定された載置部１６が床に直接、当接しないので、載置部１６の上に置いた入浴用の小物等は床に接触せず清潔である。
【実施例２】
【００２９】
図３（ａ）は、本発明に係る浴室用ラックの実施例２の全体構造を示す斜視図であり、図３（ｂ）は、この浴室用ラックを構成する複数の部材を示す斜視図である。実施例２の浴室用ラック１８は、実施例１と同様に、杆状の線材から成り、浴室の壁に取り付け取り外し自在に取り付けられて使用されるワイヤーラックである。そして、浴室用ラック１８は、図３（ｂ）に示す杆状の線材から形成される複数の部材が互いに一体的に結合して構成される。
【００３０】
図３（ｂ）において、実施例２の浴室用ラック１８を構成する複数の部材は、支持開口部材１９、後方支持取付部材２０、底面部材２１、補強枠２２及び脚兼当接枠２３である。
【００３１】
支持開口部材１９は、１本の杆状の線材が折り曲げられ、左右の前方縦杆２４と開口枠２５とが一体にして形成されたものである。開口枠２５は、実施例１の開口枠５とほぼ同様の構成であるが、前方の部分が左右において折り曲げられて左右の前方縦杆２４として形成されており、従って、開口枠２５は前方で開いており、完全な矩形ではない。
【００３２】
支持取付部材２０は、左右の後方支持杆２６と取付杆２７が一体となったものである。即ち、左右の後方縦杆２６の上端がそれぞれ後方に折り曲げられて後方に延び、さらに浴室用ラック１８の幅方向中央に折り曲げられ、中央部には下方に凹状に折り曲げられてフック部２８が形成されている。左右の後方支持杆２６は、その上端は開口枠２５に溶接等で固定され、その下端は底面部材２１の底枠２９に溶着等で固定されている。  
【００３３】
底面部材２１は、入浴用の小物等を載置する棚としての機能を有するものであり、その構成は、実施例１とほぼ同様であり、矩形の底枠２９と、底枠２９に並設される複数の線材３０から成る載置部３１とを備えている。底面部材２１は、左右の前方縦杆２４及び左右の後方縦杆２６に溶着等により固定されている。
【００３４】
補強枠２２は、底枠２９とほぼ同じ大きさの矩形の枠から成り、底枠２９と開口枠２５との間に位置し、底枠２９と同様に、左右の前方縦杆２４及び左右の後方縦杆２６に溶着等により固定されている。これにより、左右の前方縦杆２４及び左右の後方縦杆２６を互いに結合して、浴室用ラック１８の強度を上げている。
【００３５】
脚兼当接枠２３は、床に接触する脚と、底枠２９の補強と、壁面への当接という３つの機能を有している。この脚兼当接枠２３は、平面図でみてＵ字型に形成されており、左右の脚部３２と、左右の脚部３２を橋絡する当接部３３とから成る。そして、脚兼当接枠２３は、底枠２９の下面に溶着等で固定されている。
【００３６】
左右の脚部３２には、それぞれ下方に突出した突起３４が前後２箇所に形成されている。この突起３４が、浴室用ラック１８を床に置いた際に床に当接することで、載置部３１が床に接触しないように形成されている。そして、当接部３３は、左右の脚部３２から後方（壁方向）に延び、さらに浴室用ラック１８の幅方向中央に向かって折り曲げられて形成されている。この当接部３３の機能は実施例１の当接部３３と同じである。実施例２は、脚部３２と当接部３３が一体で形成されているという点で、実施例１と共通した構成である。
【００３７】
補強枠２２は、底枠２９とほぼ同じ大きさの矩形の枠から成り、底枠２９と開口枠２５との間に位置し、底枠２９と同様に、左右の前方縦杆２４及び左右の後方縦杆２６に溶着等により固定されている。これにより、左右の前方縦杆２４及び左右の後方縦杆２６を互いに結合して、浴室用ラック１８の強度を上げている。
【００３８】
（作用）
浴室用ラック１８を浴室の壁に取り付ける場合には、実施例１と同様でありその説明は省略する。浴室用ラック１８を壁の受具から取り外して、例えば浴室の床（タイル面等）の上に置いた状態では、脚部３２の左右前後の突起３４が床に当接し、載置部３１が床に直に当接しないので、載置部３１の上に置いた入浴用の小物等は床に接触せず清潔である。
【００３９】
この実施例２では、脚部３２の後側に後方に突設した当接部３３が形成されており、この当接部３３は、浴室用ラック１８を壁に取り付けた際に、壁に当接して受具にフック部２８が滑らかに挿入された状態とするとともに、浴室用ラック１８の姿勢を余り傾かないように適正に保持することができる。
【実施例３】
【００４０】
図４（ａ）は、本発明に係る浴室用ラックの実施例３の全体構造を示す斜視図であり、図４（ｂ）は浴室用ラックを構成する部材を示す斜視図である。実施例３の浴室用ラック３５は、実施例１同様に、杆状の線材から成り、浴室の壁に着脱（取り付け取り外し）自在に取り付けられて使用されるワイヤーラックである。そして、実施例１、２と同様に、杆状の線材から形成される複数の部材を互いに一体的に結合して構成される。
【００４１】
図４（ａ）、（ｂ）において、実施例３の浴室用ラック３５を構成する複数の部材は、支持開口部材３６、左右の後方縦杆３７、底面部材３８、補強兼当接枠３９、フック杆４０及び左右の脚部４４である。
【００４２】
実施例３の支持開口部材３６は、実施例２と同じ構成であり、１本の杆状の線材が折り曲げられ、左右の前方縦杆４１と開口枠４２とが一体として形成されたものである。開口枠４２は、前方の部分が左右において折り曲げられて左右の前方縦杆４１として形成されており、従って、開口枠４２は前方で開いており、完全な矩形ではない。
【００４３】
左右の後方縦杆３７は、その上端は開口枠４２の後端に溶接等で固定されており、その下端は底面部材３８の底枠４３に溶着等で固定されている。  
【００４４】
底面部材３８は、入浴小物を載置する棚としての機能を有するものであり、その構成は、実施例１、２と同様であり、矩形の底枠４３と、底枠４３に並設される複数の線材４５から成る載置部４６とを備えている。底面部材３８は、左右の前方縦杆４１及び左右の後方縦杆３７に溶着等により固定されている。
【００４５】
補強当接枠３９は、底枠４３とほぼ同じ大きさのほぼ矩形の枠から成り、底枠４３と開口枠４２との間に位置し、底枠４３と同様に、左右の前方縦杆４１及び左右の後方縦杆３７に溶着等により固定されている。これにより、左右の前方縦杆４１及び左右の後方縦杆３７を互いに結合して、浴室用ラック３５の強度を上げている。そして、補強当接枠３９の後側には、後方に突設した当接部４７が形成されている。
【００４６】
左右の脚部４４は、脚として機能するとともに、底枠４３の補強を行うものであり、底枠４３の下面に溶着等で固定されている。そして、左右の脚部４４には、それぞれ下方に突出した突起４８が前後２箇所に形成されている。この突起４８が、浴室用ラック３５を床に置いた際に当接することで、載置部４６が床に接触しないように構成されている。
【００４７】
フック杆４０は、支持開口部材３６の後部に溶着等で固定されており、左右の端部が後方（壁方向）に延びるとともに、その左右の端部の後端が浴室用ラック３５の幅方向中央に下方に折り曲げられてフックが形成されている。
【００４８】
（作用）
浴室用ラック３５を浴室の壁に取り付ける場合には、実施例１、２と同様でありその説明は省略する。浴室用ラック３５を壁の受具から取り外して、例えば浴室の床（タイル面等）の上に置いた状態では、脚部４４の左右前後の突起４８が床に接地し、載置部４６が床に直に当接しないので、載置部４６の上に置いた入浴用の小物等は床に接触せず清潔である。
【００４９】
この実施例３では、補強当接枠３９の後側に後方に突設した当接部４７が形成されており、この当接部４７は、浴室用ラック３５を壁に取り付けた際に、壁に当接して受具にフック杆４０が滑らかに挿入された状態とするとともに、浴室用ラック３５の姿勢を傾かないように適正に保持する。
【００５０】
以上、本発明を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５１】
以上、本発明に係る浴室用ラックを説明したが、このような構成のラックは、浴室だけでなく、洗面所、キッチン等の壁にも取り付けて、洗面具は、キッチン用具等を置くラックとして適用することもできる。
【図面の簡単な説明】
【００５２】
【図１】（ａ）は本発明に係る浴室用ラックの実施例１の全体構成を示す斜視図であり、（ｂ）はその使用状態を示す斜視図である。
【図２】（ａ）は実施例１の浴室用ラックの分解図であり、（ｂ）は実施例１の変形例を示す斜視図である。
【図３】（ａ）は本発明に係る実施例２の全体構成を示す斜視図であり、（ｂ）はその分解図である。
【図４】（ａ）は本発明に係る実施例３の全体構成を示す斜視図であり、（ｂ）はその分解図である。
【符号の説明】
【００５３】
１、１８、３５  浴室用ラック
２  支持部材                           
３、２６、３７  後方縦杆                           
４、２１、３８  底面部材                             
５、２５、４２  開口枠                             
６、２２  補強枠                             
７  取付杆                             
８、２４、４１  前方縦杆                     
９、３２、４４  脚部                         
１０、３３、４７  当接部                         
１１  壁                             
１２  受具                           
１３  補強杆                         
１４、２９、４３  底枠                           
１５、３０、４５  線材                   
１６、３１、４６  載置部                         
１７  フック部                       
１９、３６  支持開口部材                   
２０  支持取付部材                     
２３  脚兼当接枠                     
２７  取付杆                         
２８  フック部                       
３４、４８  脚部の突起
３９  補強兼当接枠                   
４０  フック杆                       
【図１】
2005192849.tif 000003
【図２】
2005192849.tif 000004
【図３】
2005192849.tif 000005
【図４】
2005192849.tif 000006